(57)【要約】【課題】外側のレンズ鏡筒と内側のレンズ鏡筒との隙間のシール性を高めること。【解決手段】シール部材１３０は、第１のレンズ鏡筒１１０の内周側の表面１１０Ａに接する第１の接触部１３０Ａと、第２のレンズ鏡筒１２０の外周側の表面１２０Ａに接する第２の接触部１３０Ｂと、第１の接触部１３０Ａと第２の接触部１３０Ｂとの間に設けられ、第１の接触部１３０Ａを第１のレンズ鏡筒１１０の内周側の表面１１０Ａに押しつけるとともに、第２の接触部１３０Ｂを第２のレンズ鏡筒１２０の外周側の表面１２０Ａに押しつける付勢部材１３２とを有する。【選択図】図４
2011197335.tif 000002
【特許請求の範囲】
【請求項１】
第１のレンズ鏡筒と、
前記第１のレンズ鏡筒の内側に収容され、光軸方向に移動可能な第２のレンズ鏡筒と、
前記第１のレンズ鏡筒と前記第２のレンズ鏡筒との隙間に設けられたシール部材と、
を備え、
前記シール部材は、
前記第１のレンズ鏡筒の内周側の表面に接する第１の接触部と、
前記第２のレンズ鏡筒の外周側の表面に接する第２の接触部と、
前記第１の接触部と前記第２の接触部との間に設けられ、前記第１の接触部を前記第１のレンズ鏡筒の内周側の表面に押しつけるとともに、前記第２の接触部を前記第２のレンズ鏡筒の外周側の表面に押しつける付勢部材と、
を有することを特徴とするズームレンズ。
【請求項２】
前記第１のレンズ鏡筒および前記第２のレンズ鏡筒は、
円筒形状を有しており、
前記第１の接触部は、
前記第１のレンズ鏡筒の内周側の表面の全周に亘って接する環状をなしており、
前記第２の接触部は、
前記第２のレンズ鏡筒の外周側の表面の全周に亘って接する環状をなしており、
前記付勢部材は、
前記第１の接触部の全周に亘って当該第１の接触部を前記第１のレンズ鏡筒の内周側の表面に押しつけるとともに、前記第２の接触部の全周に亘って当該第２の接触部を前記第２のレンズ鏡筒の外周側の表面に押しつける環状をなしていることを特徴とする請求項１に記載のズームレンズ。
【請求項３】
前記第１の接触部は、前記第１のレンズ鏡筒の内周側の表面に向かって突出している部分を有しており、この突出部分の頂部が前記第１のレンズ鏡筒の内周側の表面に押しつけられ、
前記第２の接触部は、前記第２のレンズ鏡筒の外周側の表面に向かって突出している部分を有しており、この突出部分の頂部が前記第２のレンズ鏡筒の外周側の表面に押しつけられることを特徴とする請求項１または２に記載のズームレンズ。
【請求項４】
前記第１のレンズ鏡筒の内周側の表面には、前記シール部材の光軸方向への移動を規制する規制部が形成されており、
前記シール部材は、
前記第１の接触部の前記規制部側の縁部と前記第２の接触部の前記規制部側の縁部とを接続する接続部を有し、当該接続部において、前記規制部に固定されることを特徴とする請求項１〜３のいずれか一つに記載のズームレンズ。
【請求項５】
前記接続部は、
前記第１の接触部の接眼側の縁部と前記第２の接触部の接眼側の縁部とを接続し、前記シール部材よりも接眼側の前記規制部に固定されることを特徴とする請求項４に記載のズームレンズ。
【請求項６】
前記付勢部材は、
前記第１の接触部を前記第１のレンズ鏡筒の内周側の表面に押しつける第１の押圧部と、
前記第２の接触部を前記第２のレンズ鏡筒の外周側の表面に押しつける第２の押圧部と、
を有し、
前記第１の押圧部と、前記第２の押圧部との隙間は、対物側で開いており、かつ接眼側で閉じていることを特徴とする請求項１〜５のいずれか一つに記載のズームレンズ。
【発明の詳細な説明】
【技術分野】
【０００１】
この発明は、ズームレンズに関する。
【背景技術】
【０００２】
ズームレンズ内部への水、塵などの浸入を防ぐことを目的として、外側のレンズ鏡筒と内側のレンズ鏡筒との隙間にシール部材を設ける構成が知られている（たとえば下記特許文献１〜６参照。）。
【先行技術文献】
【特許文献】
【０００３】
【特許文献１】特開平０５−１１１６０号公報
【特許文献２】特開平１１−１１９０７５号公報
【特許文献３】特開２０００−４７０８１号公報
【特許文献４】特開平０８−１４６５０１号公報
【特許文献５】特開平０９−１３８４５３号公報
【特許文献６】特開平０５−１７３２４０号公報
【発明の概要】
【発明が解決しようとする課題】
【０００４】
しかしながら、従来技術では、外側のレンズ鏡筒に固定されたゴム製のシール部材を変形させ、これによってシール部材に生じる反発力により、当該シール部材を内側のレンズ鏡筒の外周側の表面に押し当て、外側のレンズ鏡筒と内側のレンズ鏡筒との隙間を無くす構成を用いている。このため、大きな衝撃が加わるなどにより、上記隙間が急激に広がってしまうと、シール部材がレンズ鏡筒に追従することができず、シール部材と内側のレンズ鏡筒との間に隙間が生じてしまい、この隙間から水、塵などが浸入してしまうといった問題が生じていた。
【０００５】
この発明は、上述した従来技術による問題点を解消するため、外側のレンズ鏡筒と内側のレンズ鏡筒との隙間のシール性を高めることができるズームレンズを提供することを目的とする。
【課題を解決するための手段】
【０００６】
上記課題を解決し、目的を達成するため、この発明にかかるズームレンズは、第１のレンズ鏡筒と、前記第１のレンズ鏡筒の内側に収容され、光軸方向に移動可能な第２のレンズ鏡筒と、前記第１のレンズ鏡筒と前記第２のレンズ鏡筒との隙間に設けられたシール部材とを備え、前記シール部材は、前記第１のレンズ鏡筒の内周側の表面に接する第１の接触部と、前記第２のレンズ鏡筒の外周側の表面に接する第２の接触部と、前記第１の接触部と前記第２の接触部との間に設けられ、前記第１の接触部を前記第１のレンズ鏡筒の内周側の表面に押しつけるとともに、前記第２の接触部を前記第２のレンズ鏡筒の外周側の表面に押しつける付勢部材とを有することを特徴とする。
【０００７】
この発明によれば、大きな衝撃が加わるなどにより、第２のレンズ鏡筒と第１のレンズ鏡筒との隙間が急激に広がった場合でも、付勢部材の押圧力によって、第１の接触部を第１のレンズ鏡筒へ追従させて接触させることができるとともに、第２の接触部を第２のレンズ鏡筒へ追従させて接触させることができる。このため、第１のレンズ鏡筒と第２のレンズ鏡筒との隙間のシール性を高めることができる。
【０００８】
また、この発明にかかるズームレンズは、上記の発明において、前記第１のレンズ鏡筒および前記第２のレンズ鏡筒は、円筒形状を有しており、前記第１の接触部は、前記第１のレンズ鏡筒の内周側の表面の全周に亘って接する環状をなしており、前記第２の接触部は、前記第２のレンズ鏡筒の外周側の表面の全周に亘って接する環状をなしており、前記付勢部材は、前記第１の接触部の全周に亘って当該第１の接触部を前記第１のレンズ鏡筒の内周側の表面に押しつけるとともに、前記第２の接触部の全周に亘って当該第２の接触部を前記第２のレンズ鏡筒の外周側の表面に押しつける環状をなしていることを特徴とする。
【０００９】
この発明によれば、第１のレンズ鏡筒と第２のレンズ鏡筒との隙間の全周にわたってシール性を高めることができる。
【００１０】
また、この発明にかかるズームレンズは、上記の発明において、前記第１の接触部は、前記第１のレンズ鏡筒の内周側の表面に向かって突出している部分を有しており、この突出部分の頂部が前記第１のレンズ鏡筒の内周側の表面に押しつけられ、前記第２の接触部は、前記第２のレンズ鏡筒の外周側の表面に向かって突出している部分を有しており、この突出部分の頂部が前記第２のレンズ鏡筒の外周側の表面に押しつけられることを特徴とする。
【００１１】
この発明によれば、第１のレンズ鏡筒の内周側の表面および第２のレンズ鏡筒の外周側の表面のそれぞれにおける接触面積を小さくすることができ、第２のレンズ鏡筒のズーム動作にかかる負荷を抑えることができる。
【００１２】
また、この発明にかかるズームレンズは、上記の発明において、前記第１のレンズ鏡筒の内周側の表面には、前記シール部材の光軸方向への移動を規制する規制部が形成されており、前記シール部材は、前記第１の接触部の前記接眼側の縁部と前記第２の接触部の前記接眼側の縁部とを接続する接続部を有し、当該接続部において、前記規制部に固定されることを特徴とする。
【００１３】
この発明によれば、第１の接触部および第２の接触部のそれぞれが、規制部に固定されることによって安定した状態の接続部を支点とすることで、より確実に、第１のレンズ鏡筒の内周側の表面および第２のレンズ鏡筒の外周側の表面を押さえつけることができる。
【００１４】
また、この発明にかかるズームレンズは、上記の発明において、前記接続部は、前記第１の接触部の接眼側の縁部と前記第２の接触部の接眼側の縁部とを接続し、前記シール部材よりも接眼側の前記規制部に固定されることを特徴とする。
【００１５】
この発明によれば、ズームレンズを水没させてしまった場合、シール部材に加わった水圧は、接続部を規制部に押し付けるように作用するので、第１のレンズ鏡筒と前記第２のレンズ鏡筒との隙間において、シール部材をより安定させることができる。
【００１６】
また、この発明にかかるズームレンズは、上記の発明において、前記付勢部材は、前記第１の接触部を前記第１のレンズ鏡筒の内周側の表面に押しつける第１の押圧部と、前記第２の接触部を前記第２のレンズ鏡筒の外周側の表面に押しつける第２の押圧部と、を有し、前記第１の押圧部と、前記第２の押圧部との隙間は、対物側で開いており、かつ接眼側で閉じていることを特徴とする。
【００１７】
この発明によれば、ズームレンズを水没させてしまった場合、第１の押圧部と第２の押圧部との隙間に水が入り込み、この水圧が加わることにより、第１の押圧部は第１の接触部を第１のレンズ鏡筒の内周側の表面により押しつけ、第２の押圧部は第２の接触部を第２のレンズ鏡筒の外周側の表面に押しつけるので、シール部材のシール性をより高めることができる。
【発明の効果】
【００１８】
この発明にかかるズームレンズによれば、外側のレンズ鏡筒と内側のレンズ鏡筒との隙間のシール性を高めることができるという効果を奏する。
【図面の簡単な説明】
【００１９】
【図１】本実施形態にかかるズームレンズ１００の外観を示す図である。
【図２】ズームレンズ１００の対物側の外観を示す図である。
【図３】ズームレンズ１００のＡ−Ａ断面を示す図である。
【図４】シール部材１３０の断面部分を拡大したものである図である。
【図５】本実施形態のズームレンズ１００の第１変形例を示す図である。
【図６】本実施形態のズームレンズ１００の第２変形例を示す図である。
【図７】本実施形態のズームレンズ１００の第３変形例を示す図である。
【図８】本実施形態のズームレンズ１００の第４変形例を示す図である。
【図９】本実施形態のズームレンズ１００の第５変形例を示す図である。
【図１０】第５変形例のズームレンズ１００の沈胴時の状態を示す図である。
【図１１】第５変形例のズームレンズ１００の一部を拡大した図である。
【発明を実施するための形態】
【００２０】
以下に添付図面を参照して、この発明にかかるズームレンズの好適な実施形態を詳細に説明する。なお、本実施形態では、撮像装置の本体に対して着脱可能なズームレンズ１００を例に説明するが、本発明にかかるズームレンズは、撮像装置に予め設けられており、撮像装置の本体から着脱不可能なズームレンズに適用してもよい。すなわち、本発明にかかるズームレンズは、撮像装置の本体と一体となってユーザに提供されるズームレンズに適用してもよい。
【００２１】
まず、図１〜図３を用いて、本実施形態にかかるズームレンズ１００の構成を説明する。図１は、本実施形態にかかるズームレンズ１００の対物側の外観を示す図である。図２は、ズームレンズ１００の正面を示す図である。図３は、ズームレンズ１００のＡ−Ａ断面（光軸１００Ａと並行に交わる平面で切断したときの断面）を示す図である。
【００２２】
ズームレンズ１００は、デジタルカメラやフィルムカメラなどの撮像装置に取り付けられるズームレンズである。ズームレンズ１００は、第１のレンズ鏡筒１１０および第２のレンズ鏡筒１２０を備える。第１のレンズ鏡筒１１０および第２のレンズ鏡筒１２０は、それぞれ円筒形状を有する。
【００２３】
第１のレンズ鏡筒１１０は、ズームレンズ１００が撮像装置に取り付けられる際に、当該第１のレンズ鏡筒１１０が撮像装置の本体に固定されることで、当該ズームレンズ１００を撮像装置に固定するレンズ固定枠として機能する。第１のレンズ鏡筒１１０は、その内部において第２のレンズ鏡筒１２０を保持するとともに、接眼レンズなどを保持している。
【００２４】
第２のレンズ鏡筒１２０は、第１のレンズ鏡筒１１０の内側に収容されている。第２のレンズ鏡筒１１０は、その内部において対物レンズ１１２などを保持している。第２のレンズ鏡筒１２０は、ズームレンズ１００の内部に設けられたモータの駆動により、第１のレンズ鏡筒１１０の内側において光軸１００Ａ方向に移動する。このように、第２のレンズ鏡筒１２０が光軸１００Ａ方向に移動することで、上記した接眼レンズと対物レンズ１１２との距離が変化し、ズームレンズ１００の焦点距離、すなわちズーム倍率が変化することとなる。
【００２５】
第２のレンズ鏡筒１２０の外径は、第１のレンズ鏡筒１１０の内径よりも小さくなっている。これにより、第２のレンズ鏡筒１２０と、第１のレンズ鏡筒１１０との間には、隙間１０２が生じている。この隙間１０２には、この隙間１０２からのズームレンズ１００への水、塵、光等の浸入を防ぐため、シール部材１３０が設けられている。第１のレンズ鏡筒１１０および第２のレンズ鏡筒１２０は、いずれも円筒形状をなしていることから、隙間１０２は環状となっており、これに応じて、シール部材１３０は、環状をなしている。
【００２６】
つぎに、シール部材１３０の具体的な構成について説明する。図４は、シール部材１３０の断面部分を拡大した図である。
【００２７】
シール部材１３０は、第１のレンズ鏡筒１１０の内周側の表面１１０Ａに接する第１の接触部１３０Ａと、第２のレンズ鏡筒１２０の外周側の表面１２０Ａに接する第２の接触部１３０Ｂと、第１の接触部１３０Ａと第２の接触部１３０Ｂとの間に設けられ、第１の接触部１３０Ａを表面１１０Ａ（図４の矢印Ａ方向（径方向））に押しつけるとともに、第２の接触部１３０Ｂを表面１２０Ａ（図４の矢印Ｂ方向（光軸方向））に押しつける付勢部材１３２とを有する。たとえば、シール部材１３０において、付勢部材１３２以外の部分には、ゴムなどの比較的柔らかく、弾力が弱い弾性体が用いられ、付勢部材１３２には、金属・硬質樹脂などの比較的硬く、弾力が強い弾性体が用いられる。
【００２８】
シール部材１３０の第１の接触部１３０Ａは、第１のレンズ鏡筒１１０の内周側の表面１１０Ａの全周に亘って接する環状をなしている。シール部材１３０の第２の接触部１３０Ｂは、第２のレンズ鏡筒１２０の外周側の表面１２０Ａの全周に亘って接する環状をなしている。すなわち、シール部材１３０は、第１の接触部１３０Ａと第２の接触部１３０Ｂとによる二重環構造となっている。そして、付勢部材１３２は、この二重環の隙間に入り込む環状をなしており、第１の接触部１３０Ａの全周に亘って第１の接触部１３０Ａを表面１１０Ａに押しつけるとともに、第２の接触部１３０Ｂの全周に亘って第２の接触部１３０Ｂを表面１２０Ａに押しつける。すなわち、シール部材１３０は、第１のレンズ鏡筒１１０と第２のレンズ鏡筒１２０との隙間１０２を全周に亘って高いシール性でシールすることができるようになっている。
【００２９】
第１の接触部１３０Ａは、外周面の対物側において、全周に亘って径方向（表面１１０Ａの方向）に突出する部分を有しており、この突出部分の頂部が表面１１０Ａに押さえつけられるようになっている。同様に、第２の接触部１３０Ｂは、外周面の対物側において、全周に亘って光軸方向（表面１２０Ａの方向）に突出する部分を有しており、この突出部分の頂部が表面１２０Ａに押さえつけられるようになっている。これにより、表面１１０Ａおよび表面１２０Ａのそれぞれにおける接触面積を小さくすることができ、第２のレンズ鏡筒１２０のズーム動作にかかる負荷を抑えることができるようになっている。このように第１の接触部１３０Ａおよび第２の接触部１３０Ｂの一部を接触させる場合、図４に示すように、頂部を湾曲させるか、もしくは尖らせることが好ましい。これにより、表面１１０Ａおよび表面１２０Ａのそれぞれにおける接触面積をより小さくすることができ、第２のレンズ鏡筒１２０のズーム動作にかかる負荷をより抑えることができる。
【００３０】
付勢部材１３２は、第１の接触部１３０Ａを表面１１０Ａ（図４の矢印Ａ方向）に押しつける第１の押圧部１３２Ａと、第２の接触部１３０Ｂを表面１２０Ａ（図４の矢印Ｂ方向）に押しつける第２の押圧部１３２Ｂとを有する。第１の押圧部１３２Ａと、第２の押圧部１３２Ｂとの隙間は、対物側で開いており、かつ接眼側で閉じている。これにより、対物側での開き量が大きくなっており、これにより、第１の接触部１３０Ａの突出部分と第２の接触部１３０Ｂの突出部分とのを開き量を大きくし、より確実に第１のレンズ鏡筒１１０の表面１１０Ａおよび第２のレンズ鏡筒１２０の表面１２０Ａを押さえつけることができるようになっている。
【００３１】
シール部材１３０が開放状態にあるとき（すなわち、シール部材１３０がズームレンズ１００に組み込まれていないとき）、付勢部材１３２により、第１の接触部１３０Ａは、径方向（図４の矢印Ａ方向）に押し広げられ、第２の接触部１３０Ｂが光軸方向（図４の矢印Ｂ方向）に押し広げられている。この状態のとき、第１の接触部１３０Ａがなす径は、第１のレンズ鏡筒１１０の隙間１０２部分の内径よりも大きくなっており、第２の接触部１３０Ｂがなす径は、第２のレンズ鏡筒１２０の隙間１０２部分の外径よりも小さくなっている。すなわち、当該シール部材１３０の径方向の幅（第１の接触部１３０Ａと第２の接触部１３０Ｂとの間隔）は、隙間１０２の径方向の幅（第１のレンズ鏡筒１１０の表面１１０Ａと、第２のレンズ鏡筒１２０の表面１２０Ａとの間隔）よりも大きくなっている。
【００３２】
したがって、シール部材１３０がズームレンズ１００の隙間部１０２に収容される際には、隙間１０２に入り込むことができるように、付勢部材１３２を押圧し、シール部材１３０の径方向の幅を、隙間１０２の径方向の幅まで狭める必要がある。当然の如く、隙間１０２に収容された状態のシール部材１３０においては、径方向の幅が狭められたことによって、付勢部材１３２の反発力が生じ、この反発力が、第１の押圧部１３２Ａが第１の接触部１３０Ａを押圧する押圧力として作用するとともに、第２の押圧部１３２Ｂが第２の接触部１３０Ｂを押圧する押圧力として作用する。これにより、第１の押圧部１３２Ａが、第１の接触部１３０Ａを表面１１０Ａ（図４の矢印Ａ方向）に押しつけるとともに、第２の押圧部１３２Ｂが、第２の接触部１３０Ｂを表面１２０Ａ（図４の矢印Ｂ方向）に押しつけるようになっている。
【００３３】
シール部材１３０の接眼側には、第１の接触部１３０Ａの接眼側の縁部と第２の接触部１３０Ｂの接眼側の縁部とを接続する接続部１３０Ｃを有する。すなわち、シール部材１３０において、第１の接触部１３０Ａおよび第２の接触部１３０Ｂのそれぞれは、接続部１３０Ｃから隙間１０２方向（対物側方向）に延伸するようにして設けられている。接続部１３０Ｃは、第１の接触部１３０Ａの接眼側の縁部と第２の接触部１３０Ｂの接眼側の縁部とを接続することで、シール部材１３０の接眼側において、第１の接触部１３０Ａと第２の接触部１３０Ｂとを支持するとともに、第１の接触部１３０Ａと第２の接触部１３０Ｂとによる二重環の隙間を閉じる役割を果たしている。これにより、接続部１３０Ｃは、この二重環の隙間に入り込んだ水、塵、光などが、シール部材１３０の接眼側から抜け出ることがないようになっている。接続部１３０Ｃは、第１の接触部１３０Ａ、第２の接触部１３０Ｂ、および付勢部材１３２と同様に、光軸１００Ａから見たときに環状をなしており、第１の接触部１３０Ａの縁部と第２の接触部１３０Ｂの縁部とを全周に亘って接続する。
【００３４】
第１のレンズ鏡筒１１０の内周側の表面１１０Ａにおいて、シール部材１３０よりも接眼側には、第１の規制部１１０Ｂが形成されている。具体的には、第１の規制部１１０Ｂは、第１のレンズ鏡筒１１０において、シール部材１３０が収まる部分よりも、内径が小さくなっている部分である。隙間１０２に挿入されたシール部材１３０は、第１の規制部１１０Ｂと対向する部分である接続部１３０Ｃが、第１の規制部１１０Ｂに突き当たる。これにより、隙間１０２に挿入されたシール部材１３０の、接眼側方向への移動が規制されている。
【００３５】
また、第１のレンズ鏡筒１１０の内周側の表面１１０Ａにおいて、シール部材１３０よりも対物側には、第２の規制部１１０Ｃが形成されている。具体的には、第２の規制部１１０Ｃは、第１のレンズ鏡筒１１０において、シール部材１３０が収まる部分よりも、内径が小さくなっている部分である。隙間１０２に挿入されたシール部材１３０は、第２の規制部１１０Ｃと対向する部分が、第１の規制部１１０Ｂに突き当たる。これにより、隙間１０２に挿入されたシール部材１３０の、対物側方向への移動が規制されている。
【００３６】
このように、第１の規制部１１０Ｂおよび第２の規制部１１０Ｃが設けられていることにより、隙間１０２に挿入されたシール部材１３０を容易に位置決めすることができるとともに、隙間１０２に挿入されたシール部材１３０が容易に抜け落ちないようになっている。
【００３７】
さらに、本実施形態では、接続部１３０Ｃは、接着剤などにより第１の規制部１１０Ｂに固定されている。具体的には、接続部１３０Ｃと第１の規制部１１０Ｂとの対向する面同士が、接着剤などにより接着されている。これにより、第１の接触部１３０Ａおよび第２の接触部１３０Ｂのそれぞれは、安定した状態となっている接続部１３０Ｃを支点とすることで、より確実に、第１のレンズ鏡筒１１０の表面１１０Ａおよび第２のレンズ鏡筒１２０の表面１２０Ａのそれぞれを押さえつけることができるようになっている。特に、本実施形態では、接続部１３０Ｃは、接眼側の第１の規制部１１０Ｂに固定されている。これにより、たとえばズームレンズ１００を水没させてしまった場合、シール部材１３０に加わった水圧は、接続部１３０Ｃを第１の規制部１１０Ｂに押し付けるように作用するので、隙間１０２において、シール部材１３０をより安定させることができるようになっている。
【００３８】
以上説明したように、本実施形態のズームレンズ１００によれば、第２のレンズ鏡筒１２０と第１のレンズ鏡筒１１０との隙間１０２にシール部材１３０を設け、このシール部材１３０を、付勢部材１３２により、第１の接触部１３０Ａを第１のレンズ鏡筒１１０の内周側の表面１１０Ａに押しつけるとともに、第２の接触部１３０Ｂを第２のレンズ鏡筒１２０の外周側の表面１２０Ａに押しつける構成とした。これにより、大きな衝撃が加わるなどにより、隙間１０２が急激に広がった場合でも、付勢部材１３２の押圧力によって、第１の接触部１３０Ａを表面１１０Ａへ追従させて接触させることができるとともに、第２の接触部１３０Ｂを表面１２０Ａへ追従させて接触させることができる。このため、隙間１０２のシール性を高めることができる。
【００３９】
本発明に係るズームレンズは、少なくとも、第１の接触部１３０Ａと第２の接触部１３０Ｂとの間に付勢部材１３０を設け、この付勢部材１３０の弾性力により、第１の接触部１３０Ａを第１のレンズ鏡筒１１０の内周側の表面１１０Ａに押さえつけ、第２の接触部１３０Ｂを第２のレンズ鏡筒１２０の外周側の表面１２０Ａに押さえつける形態での実施であれば、これまでに説明した形態での実施に限らない。以降、本実施形態のズームレンズ１００の変形例について説明する。
【００４０】
図５は、本実施形態のズームレンズ１００の第１変形例を示す図である。この例では、接続部１３０Ｃの外周面が、第１のレンズ鏡筒１１０の内周側の表面１１０Ａに接し、接続部１３０Ｃの内周面が、第２のレンズ鏡筒１２０の外周側の表面１２０Ａに接するように、接続部１３０Ｃの径方向の幅が、隙間１０２の径方向の幅と同一もしくは僅かに大きくなっている。これにより、隙間１０２内において第１の接触部１３０Ａおよび第２の接触部１３０Ｂの支点として機能する接続部１３０Ｃが安定するため、第１の接触部１３０Ａと第２の接触部１３０Ｂとが、より確実に表面１１０Ａおよび表面１２０Ａを押さえつけることができるようになっている。この場合、図５に示すように、接続部１３０Ｃの外周面および内周面をそれぞれ湾曲させるかもしくは尖らせ、その頂部を表面１１０Ａおよび表面１２０Ａに接触させることにより、表面１１０Ａおよび表面１２０Ａのそれぞれの接触面積を小さくすることが好ましい。これにより、第２のレンズ鏡筒１２０のズーム動作にかかる負荷を抑えることができる。
【００４１】
図６は、本実施形態のズームレンズ１００の第２変形例を示す図である。この例では、接続部１３０Ｃの一部が接眼側に突出しており、この突出部分が第１の規制部１１０Ｂに形成された凹部に圧入されており、これにより、接続部１３０Ｃが第１の規制部１１０Ｂに固定されている。この例のように、接続部１３０Ｃの固定方法は、接着によるものに限らない。また、図６に示すズームレンズ１００においては、隙間１０２の径方向の幅が、これまでに説明したズームレンズ１００に比べて広くなっている。これに応じて、シール部材１３０の径方向の幅は、これまでに説明したズームレンズ１００に比べて広くなっている。ここでは、第１の接触部１３０Ａが径方向に広がっており、第２の接触部１３０Ｂが光軸方向に広がっていることで、径方向の幅が広がっているシール部材１３０を用いているが、付勢部材１３２の付勢力を伝達可能な状態で、第１の接触部１３０Ａが径方向に広がっており、第２の接触部１３０Ｂが光軸方向に広がっているため、付勢部材１３２を変更することなく、この付勢部材１３２の付勢力を第１の接触部１３０Ａおよび第２の接触部１３０Ｂのそれぞれに伝達し、第１の接触部１３０Ａを第１のレンズ鏡筒１１０の内周側の表面１１０Ａに押さえつけ、第２の接触部１３０Ｂを第２のレンズ鏡筒１２０の外周側の表面１２０Ａに押さえつけることができるようになっている。
【００４２】
図７は、本実施形態のズームレンズ１００の第３変形例を示す図である。この例では、接続部１３０Ｃは、第１の接触部１３０Ａの対物側の縁部と第２の接触部１３０Ｂの対物側の縁部とを接続する構成となっている。これに応じて、接続部１３０Ｃは、シール部材１３０よりも対物側に形成された第２の規制部１１０Ｃに固定されている。また、第１の接触部１３０Ａは、接眼側に先端部分を有し、この先端部分において、径方向（表面１１０Ａの方向）に突出する部分を有しており、この突出部分の頂部が表面１１０Ａに押さえつけられるようになっている。同様に、第２の接触部１３０Ｂは、接眼側に先端部分を有し、この先端部分において、径方向（表面１２０Ａの方向）に突出する部分を有しており、この突出部分の頂部が表面１２０Ａに押さえつけられるようになっている。また、付勢部材１３２の第１の押圧部１３２Ａと第２の押圧部１３２Ｂとの隙間は、接眼側で開き、かつ対物側で閉じている。
【００４３】
図８は、本実施形態のズームレンズ１００の第４変形例を示す図である。この例では、付勢部材１３２の支点部分である接眼側の縁部が、規制部１１０Ｂに固定されている構成となっている。そして、第１の接触部１３０Ａと第２の接触部１３０Ｂとが別体で構成されており、それぞれは、接眼側の縁部が、規制部１１０Ｂに圧入され、規制部１１０Ｂに支持された状態となっている。このような構成とした場合であっても、第１の接触部１３０Ａと第２の接触部１３０Ｂとの間に設けられた付勢部材１３０の弾性力により、第１の接触部１３０Ａを第１のレンズ鏡筒１１０の内周側の表面１１０Ａに押さえつけ、第２の接触部１３０Ｂを第２のレンズ鏡筒１２０の外周側の表面１２０Ａに押さえつける、という基本的な構成は変わらないため、隙間１０２のシール性を高めることができることに変わりはない。
【００４４】
図９は、本実施形態のズームレンズ１００の第５変形例を示す図である。図１０は、第５変形例のズームレンズ１００の沈胴時の状態を示す。図１１は、第５変形例のズームレンズ１００の一部を拡大したものである。本実施形態では、防水性を高めるため、付勢部材１３２により、第１の接触部１３０Ａを表面１１０Ａに押さえつけ、第２の接触部１３０Ｂを表面１２０Ａに押さえつける構成のズームレンズ１００について説明したが、より防水性を高めるため、図９〜図１１に示すように、第１の接触部１３０Ａを表面１１０Ａの対物側の端部に固定し、第２の接触部１３０Ｂを表面１２０Ａの対物側の端部に固定し、第１の接触部１３０Ａと第２の接触部１３０Ｂを接続する接続部１３０Ｃが、ズーム動作に応じて沈胴時にガイド部材（図示せず）に案内されて隙間１０２に収納されたり、使用時に第２のレンズ鏡筒１２０の移動に伴って対物側に移動したりするように構成されている。また、接続部１３０Ｃの長さは、一定となっている。
【産業上の利用可能性】
【００４５】
以上のように、本発明にかかるズームレンズは、撮像装置に取り付けられるズームレンズ、あるいは撮像装置に予め設けられているズームレンズに有用であり、特に、高い防水性、防塵性が要求される撮像装置への利用に適している。
【符号の説明】
【００４６】
１００  ズームレンズ
１００Ａ  光軸
１０２  隙間
１１０  第１のレンズ鏡筒
１１０Ａ  表面
１１０Ｂ  第１の規制部
１１０Ｃ  第２の規制部
１２０  第２のレンズ鏡筒
１２０Ａ  表面
１３０  シール部材
１３０Ａ  第１の接触部
１３０Ｂ  第２の接触部
１３０Ｃ  接続部
１３２  付勢部材
【図１】
2011197335.tif 000003
【図２】
2011197335.tif 000004
【図３】
2011197335.tif 000005
【図４】
2011197335.tif 000006
【図５】
2011197335.tif 000007
【図６】
2011197335.tif 000008
【図７】
2011197335.tif 000009
【図８】
2011197335.tif 000010
【図９】
2011197335.tif 000011
【図１０】
2011197335.tif 000012
【図１１】
2011197335.tif 000013